(57)【特許請求の範囲】
【請求項１】
ゲルシート切断刃を配置したカットロールを有し長尺状ゲルシートを切断または半抜き可能なゲルシート切断装置と、前記切断刃に塗布油を供給してこの切断刃にゲルが付着することを防止する油供給装置とを備えるゲルシート製造装置であって、
油供給装置が、塗布油を溜めたオイルパンから塗布油を吸着させる供給ロールと、供給ロールからの塗布油を受けてカットロールに転写する転写ロールと、供給ロールおよび転写ロールを支持する塗布用ロール支持具とを備え、
転写ロールの表面を前記切断刃の表面を覆うことが可能な弾力性を有する多孔質材で形成し、そして
塗布用ロール支持具が供給ロールおよび転写ロールを水平移動自在に支持し、前記切断刃に塗布する塗布油量を調整可能としたゲルシート製造装置。
【請求項２】
供給ロールの表面を塗布油を吸着可能な多孔質材で形成する請求項１記載のゲルシート製造装置。
【請求項３】
前記多孔質材が連続気孔を有し保水率が２５０％〜４５０％である請求項１または請求項２記載のゲルシート製造装置。
【請求項４】
塗布用ロール支持具が、供給ロールと転写ロールの各軸を取り込む水平方向に開口した凹溝を有し、この凹溝内を供給ロールと転写ロールの各軸が水平方向に可動とした請求項１〜請求項３何れか１項記載のゲルシート製造装置。
【請求項５】
転写ロールとカットロールとの接点をカットロールの中心より上位置に設けた請求項１〜請求項４何れか１項記載のゲルシート製造装置。
【請求項６】
長尺状ゲルシートを切断または半抜き可能なゲルシート切断刃を配置したカットロールに接し、この切断刃に塗布油を供給してゲルが付着することを防止する油供給装置であって、
塗布油を溜めたオイルパンから塗布油を吸着させる供給ロールと、供給ロールからの塗布油を受けてカットロールに転写する転写ロールと、供給ロールおよび転写ロールを支持する塗布用ロール支持具とを備え、
転写ロールの表面を前記切断刃の表面を覆うことが可能な弾力性を有する多孔質材で形成し、そして
塗布用ロール支持具が供給ロールおよび転写ロールを水平移動自在に支持し、前記切断刃に塗布する塗布油量を調整可能とした油供給装置。
【請求項７】
供給ロールの表面を塗布油を吸着可能な多孔質材で形成する請求項６記載の油供給装置。
【請求項８】
前記多孔質材が連続気孔を有し保水率が２５０％〜４５０％である請求項６または請求項７記載の油供給装置。
【請求項９】
塗布用ロール支持具が、供給ロールと転写ロールの各軸を取り込む水平方向に開口した凹溝を有し、この凹溝内を供給ロールと転写ロールの各軸が水平方向に可動とした請求項６〜請求項８何れか１項記載の油供給装置。
【発明の詳細な説明】
【技術分野】
【０００１】
本発明は、パップ剤、化粧品、医薬外品、電極材料等の生体貼付用シートや、防振、物流、建材、自動章部品等の工業用シート、また、ＰＤＰ(プラズマディスプレイパネル)、タッチパネル等の光学部材のスペーサー等として使用される長尺ゲルシートを所定の寸法に切断し、または半抜きするゲルシート切断刃への油供給装置と、この油供給装置を備えるゲルシート製造装置に関する。
【背景技術】
【０００２】
ゲルシートはそのままで保管すると保管場所の確保が難しく、また量産も困難であるため、粘着性のあるゲルを保護フィルムによって挟み込み、ロール状に巻き取って保管し、管理している。そして製品化の際にロールから引き出し、その長尺状ゲルシートを要求される商品に基づく大きさ、形状に打ち抜いて、所望のゲルシートを製造している。
【０００３】
しかしながら、ゲルシートを構成するゲルは粘着性があり、連続してゲルシートを切断する作業工程において、切断刃へのゲルの付着が問題になる。
そこで、この問題を解決するため、切断刃へシリコーンオイル等の油を着ける技術が用いられており、一例としてシリコーンオイルを切断刃へ噴霧して付着させる方法がある。ゲルシートの切断刃ではないが、例えば特開２００５−１５３１１６号公報（特許文献１）には、鋼板のエッジ部分を剪断するサイドトリマー装置におけるトリマー刃に切削油を吹き付けて塗布する技術が開示されている。
【先行技術文献】
【特許文献】
【０００４】
【特許文献１】特開２００５−１５３１１６号公報
【発明の概要】
【発明が解決しようとする課題】
【０００５】
しかしながら噴霧による方法では、液滴が不均一となり塗布ムラが生じる。また、オイルが空中に舞うことで作業環境が悪化したり、塗布効率が悪くなったりするといった課題がある。
そこで本発明はこのような問題に鑑み、ゲルシートを連続切断する場合であってもゲルの付着などによる作業効率の悪化や切断程度の悪化などを生じにくくすることを目的としてなされたものである。
【課題を解決するための手段】
【０００６】
上記目的を達成するために次に示す発明を提供する。
即ち、ゲルシート切断刃を配置したカットロールを有し長尺状ゲルシートを切断または半抜き可能なゲルシート切断装置と、前記切断刃に塗布油を供給してこの切断刃にゲルが付着することを防止する油供給装置とを備えるゲルシート製造装置であって、油供給装置が、塗布油を溜めたオイルパンから塗布油を吸着させる供給ロールと、供給ロールからの塗布油を受けてカットロールに転写する転写ロールと、供給ロールおよび転写ロールを支持する塗布用ロール支持具とを備え、転写ロールの表面を前記切断刃の表面を覆うことが可能な弾力性を有する多孔質材で形成し、そして塗布用ロール支持具が供給ロールおよび転写ロールを水平移動自在に支持し、前記切断刃に塗布する塗布油量を調整可能としたゲルシート製造装置である。
【０００７】
また、長尺状ゲルシートを切断または半抜き可能なゲルシート切断刃を配置したカットロールに接し、この切断刃に塗布油を供給してゲルが付着することを防止する油供給装置であって、塗布油を溜めたオイルパンから塗布油を吸着させる供給ロールと、供給ロールからの塗布油を受けてカットロールに転写する転写ロールと、供給ロールおよび転写ロールを支持する塗布用ロール支持具とを備え、転写ロールの表面を前記切断刃の表面を覆うことが可能な弾力性を有する多孔質材で形成し、そして塗布用ロール支持具が供給ロールおよび転写ロールを水平移動自在に支持し、前記切断刃に塗布する塗布油量を調整可能とした油供給装置である。
【０００８】
上記ゲルシート製造装置は、ゲルシート切断刃を配置したカットロールを有し長尺状ゲルシートを切断または半抜き可能なゲルシート切断装置と、前記切断刃に塗布油を供給してこの切断刃にゲルが付着することを防止する油供給装置とを備えるため、ゲルシート切断装置の切断刃に油供給装置からの塗布油を塗布することができ、ゲルシートの連続生産においても切断刃の切断力を保持しうる。
【０００９】
油供給装置は、塗布油を溜めたオイルパンから塗布油を吸着させる供給ロールと、供給ロールからの塗布油を受けてカットロールに転写する転写ロールと、供給ロールおよび転写ロールを支持する塗布用ロール支持具とを備えるものとして構成したため、転写ロールから直接的に切断刃に塗布油を塗布することができる。そのため、噴霧等による塗布の場合と比べて塗布油の環境への飛散や身体に対する悪影響を軽減することができる。
【００１０】
また、転写ロールの表面を切断刃の表面を覆うことが可能な弾力性を有する多孔質材で形成し、そして塗布用ロール支持具が供給ロールおよび転写ロールを水平移動自在に支持し、切断刃に塗布する塗布油量を調整可能としたため、切断刃の大きさ、形状の変化に応じて適宜、塗布油の塗布量を調整することができる。
即ち、転写ロールの表面を切断刃の表面を覆うことが可能な弾力性を有する多孔質材で形成したため、求められる商品に対応した様々な大きさ、形状となりうる種々の切断刃に対応可能で、その種々の切断刃の表面に塗布油を塗布することができる。
そして、塗布用ロール支持具が供給ロールおよび転写ロールを水平移動自在に支持するため、種々の切断刃に応じて適量の塗布油を塗布することが可能である。
【００１１】
供給ロールの表面を、塗布油が吸着可能な多孔質材で形成することができる。供給ロールの表面を塗布油が吸着可能な多孔質材で形成したため、オイルパンから十分な量の塗布油を吸着することができる。また、供給ロールの材質を転写ロールと同様の材質の多孔質材とすれば、供給ロールから転写ロールへの塗布油の転移を容易に行うことができる。
【００１２】
供給ロールの表面若しくは転写ロールの表面、またはその両方のロールの表面を形成する多孔質材が連続気孔を有し保水率が２５０％〜４５０％であるものとすることができる。
前記多孔質材が連続気孔を有し保水率が２５０％〜４５０％であるため、供給ロールや転写ロールに十分量の塗布油を保持することができる。そのため、種々の大きさや形状となりうる切断刃に対して塗布不足となることを防ぐことができる。
【００１３】
塗布用ロール支持具が、供給ロールと転写ロールの各軸を取り込む水平方向に開口した凹溝を有し、この凹溝内を供給ロールと転写ロールの各軸が水平方向に可動としている。
塗布用ロール支持具が供給ロールと転写ロールの各軸を取り込む水平方向に開口した凹溝を有するため、この凹溝内に差し込んだ供給ロールや転写ロールの各軸が水平方向に移動することが可能であり、垂直方向へは溝壁に阻まれて移動することができない。
そして、供給ロールと転写ロールとを独立して、双方を水平方向に移動可能としたため、ロール間の間隙やロール間の圧力を調整することができ、これによりカットロールへの塗布油の転写量を調整することができる。したがって、切断刃の大きさ、形状に応じた量の塗布油を供給することができる。
【００１４】
転写ロールとカットロールとの接点をカットロールの中心より上位置に設けることができる。転写ロールとカットロールとの接点をカットロールの中心より上位置に設けたため、転写ロールからカットロールの切断刃への塗布油の塗布に際して、その必要量を確実に塗布することができる。
【発明の効果】
【００１５】
本発明のゲルシート製造装置または油供給装置によれば、ゲルシートを切断または半抜きする切断刃に対して好適に塗布油を塗布することができ、切断刃にゲルが付着しにくく、連続運転が可能である。
【図面の簡単な説明】
【００１６】
【図１】ゲルシート切断刃への油供給装置の右側面図である。
【図２】図１のゲルシート切断刃への油供給装置の平面図である。
【図３】塗布用ロール支持具へのロールの取付けを説明する説明図である。
【図４】転写ロールの平面図である。
【図５】油供給装置を引き出した状態の図２相当の平面図である。
【発明を実施するための形態】
【００１７】
本発明の具体的な実施形態を図面に基づいて説明する。
図１にはゲルシート製造装置１の右側面図を、図２には平面図をそれぞれ示す。
ゲルシート切断装置１は、例えばパップ剤等に用いられるゲルシートの製造にあたり、巻物とした長尺状ゲルシート２から、商品として求められる所望の大きさ、形状に切断し、または半抜きしてゲルシート３を得る装置である。
このゲルシート製造装置１は、長尺状ゲルシート２を切断または半抜きするゲルシート切断装置１０と、ゲルシート切断装置１０の切断刃１１にシリコーンオイル等を供給して切断刃１１にゲルが付着することを防止するゲルシート切断刃１１への油供給装置２０とを備えている。
【００１８】
ゲルシート切断装置１０は、ゲルシート切断刃１１を有するカットロール１２と、長尺状ゲルシート２をカットロール１２に押さえつける押圧ロール１３とを備えている。
また、油供給装置２０は、シリコーンオイル等の塗布油２１を貯留するオイルパン２２から塗布油２１を供給する供給ロール２３と、供給ロール２３から塗布油２１を受取り、カットロール１２に塗布油２１を転写する転写ロール２４と、この供給ロール２３および転写ロール２４をそれぞれ独立に水平方向に移動可能に支持する塗布用ロール支持具２５とを有している。なお、供給ロール２３と転写ロール２４を併せて塗布用ロール２６というものとする。
【００１９】
ゲルシート切断刃１１は、カットロール１２上に設けられ、切り出すゲルシート３の大きさ、形状に沿った形に形成されている。図２では、刃先が長方形状に形成され、原反の幅方向に２枚づつの長方形のゲルシート３が得られるように形成されている。
ゲルシート切断刃１１は、長尺状ゲルシート２の構成にもよるが、通常は長尺状ゲルシート２の表面を保護する表面保護フィルムとゲル、そしてゲルの内側にあってゲルを保形支持する芯材を切断または半抜きする切断力を有し、かつのゲルの付着し難い材質が用いられる。具体的には、金属や硬質樹脂からなる切断刃１１を用いることができるが、ＳＫＨ（高速度工具鋼鋼材）などの鋼材が好ましい。
【００２０】
油供給装置２０は、シリコーンオイル等に代表されるゲルの切断刃１１への付着を防止するための塗布油２１を、塗布用ロール２６を通じて切断刃１１に塗布する装置である。供給ロール２３がオイルパン２２に貯留する塗布油２１を吸着し、転写ロール２４に受け渡し、その転写ロール２４が切断刃１１に接触して切断刃１１の表面に塗布油１１を塗布する。
塗布油２１を切断刃１１に塗布することで、粘着性のあるゲルが切断刃１１に付着し難くなる。また、カット後において製品部分と不要部分とが綺麗に剥がれやすいというメリットもある。
【００２１】
切断刃１１の表面に塗布油２１をまんべんなく塗れて、また必要以上に塗りすぎないように、転写ロール２４は、切断刃１１の表面を覆うことが可能な弾力性と保水性を備えることが要求されることから、多孔質のスポンジ状の材質が用いられる。特に、気孔率が７５％〜９０％であって、保水率が２５０％〜４５０％である連続気孔を有する多孔質材が好ましい。また、多孔質であっても脆くてロール材の脱落が無いことが要求されるため、ウレタンスポンジは好ましい材質である。
【００２２】
供給ロール２３は、塗布油２１をオイルパン２２から受け取るロールであり、ゴムロールやウレタンなどのプラスチックロールとすることができるが、塗布油２１をはじかない材質が好ましく、例えば塗布油２１にシリコーンオイルを用いる場合にはシリコーン樹脂製のロールを用いることが例示できる。また、供給ロールの表面に凹溝を形成してその凹溝を通じて転写ロール２４に塗布油２１を転移させるようにしても良いが、転写ロール２４と同様の材質の表面を有するロールとすることは好ましい態様である。同質の材質であれば濡れの程度は同じであり供給ロール２３に留まらず転移し易く、また、多孔質材であれば十分量の塗布油２１を保持することができるからである。
【００２３】
供給ロール２３の半径は転写ロール２４の半径よりも小さくすることが好ましい。供給ロール２３は半径を小さくして回転数を上げることでオイルパン２２中の塗布油２１との接触機会を増加させ供給ロール２３の表面に十分に塗布油２１を染み渡らせることができるからである。また図２で示すように、転写ロール２４の幅は供給ロール２３の幅よりも大きくすることが好ましい。転写ロール２４は切断刃１１に当たると切断刃１１の当たった部分が凹むことになる。切断刃１１の突出程度やその容積は製品に応じて変わりうるため、凹み量が大きくなったときでも塗布油２１を保持しておけるだけの余裕も必要だからである。
【００２４】
転写ロール２４とカットロール１２の配置は、カットロール１２の中心よりも上位置で転写ロール２４と接触するようにすることが好ましい。塗布油２１とは異なる一般的な印刷インキを供給する場合を考えると、印刷インキの乾燥の影響を防ぐため供給ロール２３から転写ロール２４に写った印刷インキをすぐにカットロール１２側に移せるよう転写ロール２４上での印刷インキの移動が少ない方が好ましい。そのため、転写ロール２４の中心よりも上位置でカットロール１２と接触することが好ましい。カットロール１２側から見れば、カットロール１２の中心よりも下位置で転写ロール２４と接触することが好ましい。
しかしながら、塗布油２１を塗布する場合は、塗布油２１自体の乾燥をあまり問題にしないことや、表面積の大きい切断刃１１の表面を塗布油２１で十分に濡らすためには下向きに塗布油２１が転写される方が十分な量の塗布油２１が塗布でき、またこうしても塗りすぎを防止できるからである。
【００２５】
塗布用ロール支持具２５を構成するブラケット２７の右側面図を図３に示す。ブラケット２７は、供給ロール２３と転写ロール２４を支持する部材であり、供給ロール２３と転写ロール２４のそれぞれの軸２３ａ，２４ａが挿入される凹溝２７ａ，２７ｂが形成されている。そして、この凹溝２７ａ，２７ｂには、外側からネジ２８ａ，２８ｂが入るように凹溝２７ａ，２７ｂの底にネジ穴が設けられている。
【００２６】
一方、転写ロール２４は、図４で示すようにネジ溝２４ｂが設けられており、ブラケット２７の凹溝２７ｂに転写ロール２４の軸２４ａを挿入するとともに、ネジ溝２４ｂにネジ２８ｂを挿入することで、凹溝２７ｂ内で転写ロール２４を固定することができる。したがって、ネジ２８ｂを回すことで転写ロール２４の軸２４ａを凹溝２７ｂ内で水平方向に動かすことができる。
図２で示すように、ブラケット２７は転写ロール２４の両側に備えているため、転写ロール２４の中央から右側に突出する軸２４ａと左側に突出する軸２４ａをそれぞれ独立に位置を調整することができる。
【００２７】
転写ロール２４の軸２４ａにはベアリング２４ｃを通じて多孔質材を表面に有するロール本体２４ｄが接続されている。こうして、固定された軸２４ａに対してロール本体２４ｄが回転自在になっている。
供給ロール２３もまた、転写ロール２４と同様に軸２３ａ、ネジ溝２３ｂ、ベアリング２３ｃ、ロール本体２３ｄを有する構造であり、ブラケット２７に設けた凹溝２７ａに取付けられ、ネジ２８ａの調整で凹溝２７ａ内を水平方向に動かすことができる。
【００２８】
このように転写ロール２４および供給ロール２３を、ネジ２８ｂ，２８ａで水平方向に向かって前後に可動させることができるので、供給ロール２３と転写ロール２４、そしてカットロール１２のそれぞれのロールの間隔、接触圧を変化させることができる。そして、切断刃１１に転写する塗布油２１の量を容易に調整することができる。
【００２９】
なお、本実施形態ではネジ２８ａ，２８ｂでロールの軸２３ａ，２４ａを動かすこととしているが、もちろん油圧等により凹溝２７ａ，２７ｂ内を前後に動かすようにすることもできる。
【００３０】
オイルパン２２は、塗布油２１を貯留するオイル溜であり、供給ロール２３の表面がオイルパン２２に溜めた塗布油２１に浸かるように、供給ロール２３に対して位置決め配置される。
オイルパン２２にブラケット２７を取り付けて、供給ロール２３や転写ロール２４と一体にした油供給装置２０とすれば、図５で示すように、カットロール１２に対して油供給装置２０を全体で引き離すことができ、装置のメンテナンス等に好都合である。
【００３１】
上述の実施形態は本発明の一例を示すが、本発明はその実施形態に限定されるものではなく、本発明の趣旨に反しない任意の変更形態を含むものである。したがって、本質的でない構成の変更、一部の構成の省略、置換、公知の手段の付加等は適宜なし得るものである。
【符号の説明】
【００３２】
１    ゲルシート製造装置
２    長尺状ゲルシート
３    ゲルシート
１０    ゲルシート切断装置
１１    （ゲルシート）切断刃
１２    カットロール
１３    押圧ロール
２０    油供給装置
２１    塗布油
２２    オイルパン
２３    供給ロール
２３ａ    軸
２３ｂ    ネジ溝
２３ｃ    ベアリング
２３ｄ    ロール本体
２４    転写ロール
２４ａ    軸
２４ｂ    ネジ溝
２４ｃ    ベアリング
２４ｄ    ロール本体
２５    塗布用ロール支持具
２６    塗布用ロール
２７    ブラケット
２７ａ，２７ｂ    凹溝
２８ａ，２８ｂ    ネジ
【図１】
0005802100.tif 000002
【図２】
0005802100.tif 000003
【図３】
0005802100.tif 000004
【図４】
0005802100.tif 000005
【図５】
0005802100.tif 000006